(57)【特許請求の範囲】
【請求項１】
竪樋の軸方向に細長いスロットで形成されたアンテナパターンを有する金属薄板と、この金属薄板の表面側を覆う電気絶縁材料で形成した表面側カバーと、前記金属薄板の裏面側を覆う電気絶縁材料で形成した前記表面側カバーとは別体の裏面側カバーとを備え、前記金属薄板を前記表面側カバーと前記裏面側カバーとで挟持した状態で前記表面側カバーと前記裏面側カバーが連結手段で連結され、前記裏面側カバーの裏面に竪樋に取付けるための取付け部が設けられていることを特徴とするアンテナ装置。
【請求項２】
金属薄板が保護シートで被覆されていることを特徴とする請求項１記載のアンテナ装置。
【発明の詳細な説明】
【技術分野】
【０００１】
本発明は、アンテナ装置に関する。
【背景技術】
【０００２】
特許文献１には、既存の導電性を有する竪樋をそのままにした状態で、この既存の導電性を有する竪樋の外面にアンテナ部と伝送路トラップ部を取付ける技術が開示されている。
【０００３】
このアンテナ部は、竪樋の施工後に取付けが可能なように金属板あるいは導電皮膜加工等を施した合成樹脂により形成される。また、アンテナ部は、半円筒状の折り返し部の側方に半円筒状の給電部を設けたアンテナ素体を２枚組み合わせて構成される。
【０００４】
また、伝送路トラップ部は、既存の導電性を有する竪樋にアンテナ部を取付けるに当り、導電性を有する竪樋がアンテナ部の動作を乱さないように設けられる。この伝送路トラップ部は、半割り体を２枚組み合わせた二重筒構造に構成される。
【０００５】
アンテナ部は、既存の導電性を有する竪樋の長手方向の中間部の外面側に、２枚のアンテナ素体の折り返し部が配置され、アンテナ素体の左右両側に外方に突出した鍔同士がねじにより固定されることで２枚のアンテナ素体が連結されて既存の竪樋に取付けられる。
【０００６】
伝送路トラップ部は、アンテナ部の上下位置に、それぞれ２枚の半割り体が配置され、半割り体の上下に突出した接合片同士がねじにより固定されることで２枚の半割り体が連結されて竪樋に取付けられる。
【先行技術文献】
【特許文献】
【０００７】
【特許文献１】特開平１−１６８１０１号公報
【発明の概要】
【発明が解決しようとする課題】
【０００８】
しかし、特許文献１に示す従来例は、アンテナ部を竪樋に取付ける部分、つまりアンテナ素体の両側に外方に突出した鍔同士をねじで固定する部分が竪樋の正面側に露出し、しかも、左右両側に突出する。
【０００９】
また、伝送路トラップ部を竪樋に取付ける部分、つまり半割り体の上下に突出した接合片同士をねじで固定する部分が竪樋の正面側に露出する。
【００１０】
このように、鍔同士をねじにより固定する部分、接合片同士をねじにより固定する部分が竪樋の正面側に露出するので、外観が悪い。
【００１１】
特に、鍔同士をねじにより固定する部分が左右両側に突出して露出するので、人や物が引っ掛かりやすいという問題がある。
【００１２】
本発明の目的は、組立てが容易に行え、また、竪樋への取付け部分が露出しないように取付けることができるアンテナ装置を提供するにある。
【課題を解決するための手段】
【００１３】
本発明のアンテナ装置は、竪樋の軸方向に細長いスロットで形成されたアンテナパターンを有する金属薄板と、この金属薄板の表面側を覆う電気絶縁材料で形成した表面側カバーと、前記金属薄板の裏面側を覆う電気絶縁材料で形成した前記表面側カバーとは別体の裏面側カバーとを備え、前記金属薄板を前記表面側カバーと前記裏面側カバーとで挟持した状態で前記表面側カバーと前記裏面側カバーが連結手段で連結され、前記裏面側カバーの裏面に竪樋に取付けるための取付け部が設けられていることを特徴とする。
【００１４】
金属薄板が保護シートで被覆されていることが好ましい。
【発明の効果】
【００１５】
本発明は、アンテナパターンを有する金属薄板を表面側カバーと裏面側カバーとで挟持した状態で表面側カバーと裏面側カバーが連結手段で連結されるので、アンテナ装置の構成が簡略化され且つ容易に組立てられる。また、裏面側カバーの裏面に竪樋に取付けるための取付け部が設けられているので、アンテナ装置は竪樋に取付けることが可能となる。また、取付け部が裏面側カバーに隠されて正面側から見え難く、外観を損ね難く、また、取付け部に人や物が引っ掛かり難い。
【図面の簡単な説明】
【００１６】
【図１】本発明のアンテナ装置の分解斜視図である。
【図２】（ａ）は同上のアンテナ装置の正面側からの斜視図であり、（ｂ）は背面側からの斜視図である。
【図３】（ａ）は同上の横断面図、（ｂ）は一分破断した拡大縦断面図である。
【図４】同上のアンテナ装置を竪樋に取付ける前の分解斜視図である。
【図５】同上のアンテナ装置を竪樋に取付けた状態の縦断面図である。
【図６】同上の横断面図である。
【図７】（ａ）は同上のアンテナ板の左端が竪樋取付け具の連結部に当たる状態を示す断面図であり、（ｂ）はアンテナ板の右端が竪樋取付け具の連結部に当たる状態を示す断面図である。
【図８】同上のアンテナ装置をポールに取付ける前の分解斜視図である。
【図９】同上のアンテナ装置をポールに取付けた状態の縦断面図である。
【図１０】同上の横断面図である。
【図１１】本発明のアンテナ装置の他の実施形態の分解斜視図である。
【図１２】同上の一部破断した拡大縦断面図である。
【図１３】本発明のアンテナ装置の更に他の実施形態の分解斜視図である。
【図１４】同上の竪樋取付け部を本体部の裏面に取付ける部分を示す断面図である。
【図１５】同上の竪樋取付け部を本体部の裏面に取付ける他の実施形態の断面図である。
【発明を実施するための形態】
【００１７】
以下、本発明を添付図面に示す実施形態に基づいて説明する。
【００１８】
図１乃至図３にはアンテナ装置１の一実施形態が示されている。アンテナ装置１は、アンテナパターンを有する金属薄板２と、この金属薄板２の表面側を覆う表面側カバー３と、金属薄板２の裏面側を覆う前記表面側カバー３とは別体の裏面側カバー４とを備えている。
【００１９】
金属薄板２は導電性の縦長矩形状の薄い金属板材又は金属箔よりなり、アンテナパターンとなる細長いスロット５が形成されている。
【００２０】
スロット５を設けた金属薄板２は単独で使用してもよく、あるいは、非導電性の保護シート６で覆われたものでもよい。保護シート６で覆われたものは、金属薄板２の錆の発生が抑制され、また、スロット５が設けてあるにもかかわらず、スロット５部分で金属薄板２が変形するのが抑制されるのでスロット５を設けた金属薄板２の取扱いが容易に行える。
【００２１】
図１、図２においては、金属薄板２のスロット５が上下方向に複数並べて設けられており、隣接するスロット５同士は細溝９で接続されている。各スロット５は三角形の頂点を互いに突き合わせたようなボウタイ形状に形成されている。
【００２２】
アンテナパターンとなる細長いスロット５が形成された金属薄板２は、第一の周波数帯（例えば４７３〜６００ＭＨｚ）の電波を受信する第一の受信部１０と、第二の周波数帯（例えば６００〜７２０ＭＨｚ）の電波を受信する第二の受信部１１を有している。
【００２３】
第一の受信部１０は、スロット５及び当該スロット５の周縁部により構成される。第二の受信部１１は、このスロット５に対し上下方向に隣接する金属薄板２部分により構成される。
【００２４】
第一の受信部１０を構成するスロット５の上下方向の長さは、前記第一の周波数帯内の電波の電気的な半波長の長さに対応して決定される。また、第二の受信部１１の周方向の長さは、前記第二の周波数帯内の電波の電気的な半波長の長さに対応して決定される。
【００２５】
金属薄板２のスロット５の両側の三角形の頂点部分がそれぞれ給電部１２となっている。この給電部１２には給電ケーブル（図示せず）が接続される。
【００２６】
表面側カバー３は非導電性の合成樹脂のような非導電性材料により形成される。
【００２７】
裏面側カバー４は非導電性の合成樹脂のような非導電性材料により形成され、裏面にポール又は竪樋に取付けるための取付け部７が設けられる。
【００２８】
アンテナパターンを有する金属薄板２は、表面側カバー３と裏面側カバー４との間に介在されて挟持され、この状態で表面側カバー３と裏面側カバー４が連結手段で連結される。
【００２９】
表面側カバー３と裏面側カバー４を連結して組立てることで略平板状又は断面弧状に屈曲した略板状又は断面略コ字状に屈曲した略板状をしたアンテナ外郭ユニット８が構成される。
【００３０】
図１乃至図３には、断面弧状に屈曲した略板状のアンテナ外郭ユニット８の例が示されている。
【００３１】
本例において表面側カバー３は、電気絶縁性の合成樹脂のような電気絶縁材料で断面円弧状に形成され、外周縁部に背方に向けて壁部１３が突設され、さらに複数の係止爪１４が突設されている。
【００３２】
裏面側カバー４は、電気絶縁性の合成樹脂のような電気絶縁材料で断面円弧状に形成され、且つ、表面側カバー３の裏面の壁部１３に囲まれた部分にぴったりと嵌り込む大きさに形成されており、更に、複数の係止孔１５が形成されている。
【００３３】
そして、スロット５を設けた金属薄板２は表面側カバー３の裏面の壁部１３に囲まれた部分に配置される。この場合、スロット５を有する金属薄板２を単独で配置してもよく、あるいは、非導電性の保護シート６で覆われたスロット５を有する金属薄板２を配置してもよい。
【００３４】
更に、裏面側カバー４が金属薄板２を介して表面側カバー３の裏面の壁部１３に囲まれた部分に配置され、係止爪１４が係止孔１５に係止されることで、表面側カバー３と裏面側カバー４が連結される。
【００３５】
これにより金属薄板２は表面側カバー３と裏面側カバー４とで挟持され、且つ、表面側カバー３と裏面側カバー４を組立てることで構成されるアンテナ外郭ユニット８内に配置されることになる。
【００３６】
なお、図３（ｂ）のように、表面側カバー３又は裏面側カバー４には通気孔２３が形成してあることが好ましい。このように、通気孔２３が形成してあると、表面側カバー３の壁部１３に囲まれた部分にスロット５を有する金属薄板２を介して裏面側カバー４を重ねて上記のように連結する際、重複部分の空気を通気孔２３から出すことができ、組立てが容易にできる。もちろん、通気孔２３は設けなくてもよい。
【００３７】
本例では、表面側カバー３と裏面側カバー４を連結する連結手段が、係止爪１４と係止孔１５により構成されている。
【００３８】
裏面側カバー４の裏面に設けられる取付け部７は一部又は全部が裏面側カバー４と一体に成形されたものでもよく、あるいは、取付け部７は裏面側カバー４と別体に形成され、接着、ねじのような固定具、係止による固定等の任意の固定手段で裏面側カバー４の裏面に固着されたものでもよい。
【００３９】
取付け部７は、非導電性の合成樹脂のような非導電性材料により形成される。また、この取付け部７は、一対の半体１６の一端部同士を軸受部１７で回動可能に連結して構成され、一対の半体１６の他端部の係止部１８と被係止部１９が係止自在となっている。なお、図３（ａ）の実施形態では略半円状の半体１６の例が示されている。
【００４０】
上記の構成のアンテナ装置１は、建物の外壁２１に取付けた竪樋２２やポール２０に取付けられる。
【００４１】
図４乃至図７にはアンテナ装置１を竪樋２２に取付けた例が示されており、図８乃至図１０にはアンテナ装置１をポール２０に取付けた例が示されている。
【００４２】
アンテナ装置１の取付けに当たっては、一対の半体１６でポール２０又は竪樋２２の上下方向の任意の位置の外周を囲んだ状態で係止部１８と被係止部１９を係止する。これにより、図９、図１０の例、図５、図６の例のように、一対の半体１６でポール２０又は竪樋２２の外周を強く締め付けてアンテナ装置１がポール２０又は竪樋２２に取付けられる。
【００４３】
このようにアンテナ外郭ユニット８の裏面側カバー４の裏面に突出した取付け部７をポール２０又は竪樋２２に取付けるので、取付け部７がアンテナ外郭ユニット８で隠されて正面側から見え難く、外観を損ね難い。また、取付け部７がアンテナ装置１の左側又は右側に突出しないので、取付け部７に人や物が引っ掛かり難い。
【００４４】
また、取付け部７が非導電性なので、アンテナ外郭ユニット８の裏面側カバー４の裏面に取付け部７を突出したといえども、取付け部７がアンテナ装置１のアンテナ性能に影響を及ぼさない。
【００４５】
ここで、ポール２０又は竪樋２２が円筒状の場合、取付け部７はポール２０又は竪樋２２の外周に周方向に回動可能に取付けられる。したがって取付け部７をポール２０又は竪樋２２の周方向に回動することで、アンテナ装置１の向きが可変可能となり、アンテナ装置１の受信方向が調整できる。
【００４６】
アンテナ装置１の向きを調整する場合、係止部１８と被係止部１９の係止を解除した状態で取付け部７を回動し、受信方向の調整が済んだ後に係止部１８と被係止部１９を係止して一対の半体１６でポール２０又は竪樋２２の外周を強く締め付ける。
【００４７】
これによりアンテナ装置１は、ポール２０又は竪樋２２の上下方向の任意の位置で且つ現場に応じた最良の受信方向を向いた状態で取付けられ、また、強く締め付けて取付けられるため、最良の受信方向を向いた状態が維持され、且つ、下方へのずれが抑制される。
【００４８】
上記のようにアンテナ装置１はポール２０又は竪樋２２の上下方向の任意の位置に取付けられる。
【００４９】
ところで、竪樋２２は建物の外壁２１に竪樋取付け具２４により取付けられる。竪樋取付け具２４は、竪樋２２の外周部を支持する竪樋支持部２５と、外壁２１に固定するための外壁固定部２６と、竪樋支持部２５と外壁固定部２６とを連結する連結部２７とを備えている。
【００５０】
竪樋支持部２５は、一対の竪樋支持半体２８の一端部同士を軸受部で回動可能に連結して構成され、一対の竪樋支持半体２８の他端部の係止部と被係止部が係止自在となっている。
【００５１】
竪樋取付け具２４は、外壁固定部２６が外壁２１に固定され、一対の竪樋支持半体２８で竪樋２２の外周を囲んだ状態で係止部と被係止部を係止することで、竪樋２２を支持する。
【００５２】
そして、アンテナ装置１を竪樋２２に取付ける場合、図５のように取付け部７の下端が竪樋取付け具２４の竪樋支持部２５の上端に当たるように取付けられるのが好ましい。
【００５３】
この場合、アンテナ装置１の断面円弧のアンテナ外郭ユニット８の左右両端縁間の隙間に竪樋取付け具２４の連結部２７が位置し、竪樋取付け具２４に邪魔されることなくアンテナ装置１が取付けられる。
【００５４】
本例では取付け部７の下端が竪樋支持部２５の上端に当たるため、より確実に取付け部７の下方へのずれが防止され、アンテナ装置１が下方にずれ下がらない。
【００５５】
そして、取付け部７の下端が竪樋支持部２５の上端に当たって取付け部７が下方にずれないように取付ける場合も、取付け部７は竪樋２２の周方向に所定角度の回動が可能でアンテナ装置１の向きが可変可能とされている。
【００５６】
このため、断面円弧状のアンテナ外郭ユニット８の左右両端縁間の隙間寸法は、アンテナ外郭ユニット８の左右両端縁間の隙間に竪樋取付け具２４が位置する状態で、取付け部７の竪樋２２に対する回動に基づく所定角度の回動を許容するような隙間寸法に設定されている。
【００５７】
上記所定角度の回動とは、図７（ａ）に示すアンテナ外郭ユニット８の左端が竪樋取付け具２４の連結部２７に当る状態から、図７（ｂ）に示すアンテナ外郭ユニット８の右端が竪樋取付け具２４の連結部２７に当る状態までの回動角度のことである。
【００５８】
回動角度の一例を示すと左右方向に±４５°であり、この例の場合、断面円弧状のアンテナ外郭ユニット８の左右両端縁間の開き角度が９０°である。もちろんアンテナ外郭ユニット８の左右両端縁間の開き角度は９０°のみに限定されない。
【００５９】
図１１、図１２には、表面側カバー３と、これとは別体の裏面側カバー４とを組合わせ結合することで構成されるアンテナ外郭ユニット８の他例が示されている。
【００６０】
本例では、表面側カバー３の裏面にはボス３０が形成されており、また、裏面側カバー４には孔３１があけられている。
【００６１】
また、スロット５を有する金属薄板２は非導電性の保護シート６で覆われたものが使用され、保護シート６の端部の金属薄板２に重ならない部分に孔３２があけられている。
【００６２】
そして、保護シート６で覆われたスロット５を有する金属薄板２は、表面側カバー３の裏面に配置されて孔３２がボス３０に嵌められる。この状態で表面側カバー３の裏面に裏面側カバー４が配置され、裏面側カバー４の孔３１からねじ３３が挿入されてボス３０にねじ込まれ、これによりスロット５を有する金属薄板２が表面側カバー３と裏面側カバー４とで挟持され且つアンテナ外郭ユニット８内に配置される。
【００６３】
本例では、保護シート６で覆われたスロット５を有する金属薄板２は、弛んだりすることなく表面側カバー３の裏面の所定の位置に仮止めされた状態で表面側カバー３と裏面側カバー４を固定するので、組立が容易で且つ正確に行うことができる。
【００６４】
なお、表面側カバー３と裏面側カバー４とを組合わせ結合してアンテナ外郭ユニット８を形成するには上記した各例にのみ限定されず、他の組合わせ結合の構成が可能である。
【００６５】
図１３、図１４には取付け部７をアンテナ外郭ユニット８の裏面に固着する固定手段の一例が示されている。
【００６６】
本例においては、アンテナ外郭ユニット８裏面に嵌込み溝部４０が形成され、この嵌込み溝部４０に取付け部７に設けられた嵌込み部４１が嵌め込まれて取付けられる。
【００６７】
嵌込み溝部４０の内部の溝は、左右長さが上下巾と同じ又は上下巾より長く形成されており、嵌め込み溝部４０の裏面には嵌込み溝部４０内の溝に連通する開口部４２が形成される。この開口部４２の開口巾（上下巾）は嵌込み溝部４０内の上下巾より巾狭に形成され、開口部４２の左右長さは嵌込み溝部４０内の上下巾と同じ又は上下巾より長く形成される。
【００６８】
嵌込み部４１は取付け部７からの突出基部４３と突出基部４３の先端に一体に形成された板状突部４４とで構成される。板状突部４４は上下方向に細長の長方形状に形成されている。長方形状の板状突部４４は、長辺の長さが開口部４２の左右巾より長く且つ嵌込み溝部４０内の溝の上下巾と同じ又は短く形成され、短辺の長さが開口部４２の上下巾より短く形成され、また、厚さが嵌込み部４１内の溝の溝深さとほぼ同じに形成される。
【００６９】
板状突部４４は長辺が左右方向を向くような姿勢にして開口部４２から嵌込み溝部４０内に嵌込まれ、次に、長辺が上下方向を向くように回転することで嵌込み溝部４０内に外れないように取付けられる。
【００７０】
ここで、板状突部４４は、一対の対角線上に位置するコーナ部を面取りして面取り部４５が形成されており、板状突部４４を開口部４２内で上記のように回転する際、長辺が上下方向を向く操作がスムーズにでき、短辺を開口部４２内の溝内の上下面に圧接することが可能となる。
【００７１】
なお、本例においては、アンテナ外郭ユニット８が一体形成されたもの、表面側カバー３と裏面側カバー４とを組み合わせ結合したもののいずれでもよく、後者の場合は裏面側カバー４に嵌込み溝部４０が形成される。
【００７２】
図１５にはアンテナ装置１の取付け部７をアンテナ外郭ユニット８の裏面に固着する固定手段の他例が示されている。
【００７３】
本例においては、アンテナ外郭ユニット８が表面側カバー３と裏面側カバー４とを組み合わせ結合することで構成され、取付け部７が裏面側カバー４にねじ３３により固定される。
【００７４】
もちろん、取付け部７をアンテナ外郭ユニット８の裏面に固着する固定手段は、上記の例にのみ限定されず、係止による固着を含む他の任意の種々の固着手段が採用可能である。
【符号の説明】
【００７５】
１  アンテナ装置
２  金属薄板
３  表面側カバー
４  裏面側カバー
５  スロット
６  保護シート
７  取付け部
２０  ポール
２２  竪樋
【図１】
0005608134.tif 000002
【図２】
0005608134.tif 000003
【図３】
0005608134.tif 000004
【図４】
0005608134.tif 000005
【図５】
0005608134.tif 000006
【図６】
0005608134.tif 000007
【図７】
0005608134.tif 000008
【図８】
0005608134.tif 000009
【図９】
0005608134.tif 000010
【図１０】
0005608134.tif 000011
【図１１】
0005608134.tif 000012
【図１２】
0005608134.tif 000013
【図１３】
0005608134.tif 000014
【図１４】
0005608134.tif 000015
【図１５】
0005608134.tif 000016